(57)【特許請求の範囲】
【請求項１】
データ記録対象の光ディスクのメディアＩＤを読み出すステップと、
読み出されたメディアＩＤがλ＝４０５ｎｍに吸収スペクトルを有し且つ有機色素を用いた光ディスクであることを示している場合には、最短マークを形成するためのライトパルスのパルス長が、記録特性に関する指標値について予め定められた条件を満たす範囲で最短値になるよう設定する設定ステップと、
を含み、
前記記録特性に関する指標値について予め定められた条件が、ＤＣジッタについて予め定められた閾値以下であるという条件と、ＤＣジッタが予め定められた第２の閾値以下となる範囲においてメインパワーの幅が所定値以上であるという条件とのいずれかであり、
前記設定ステップが、
バイアスパワーＰｂｗを、リードパワーＰｒより高く設定するステップ
を含む光ディスク記録方法。
【請求項２】
データ記録対象の光ディスクのメディアＩＤを読み出す手段と、
読み出されたメディアＩＤがλ＝４０５ｎｍに吸収スペクトルを有し且つ有機色素を用いた光ディスクであることを示している場合には、最短マークを形成するためのライトパルスのパルス長が、記録特性に関する指標値について予め定められた条件を満たす範囲で最短値になるよう設定する制御手段と、
を有し、
前記記録特性に関する指標値について予め定められた条件が、ＤＣジッタについて予め定められた閾値以下であるという条件と、ＤＣジッタが予め定められた第２の閾値以下となる範囲においてメインパワーの幅が所定値以上であるという条件とのいずれかであり、
前記制御手段が、
バイアスパワーＰｂｗを、リードパワーＰｒより高く設定する
光ディスク記録再生装置。
【請求項３】
λ＝４０５ｎｍに吸収スペクトルを有し且つ有機色素を用いた光ディスクであって、
最短マークを形成するためのライトパルスのパルス長と、バイアスパワーＰｂｗをリードパワーＰｒより高く設定するためのパラメータとが格納されており、
前記ライトパルスのパルス長が、記録特性に関する指標値について予め定められた条件を満たす範囲で最短値であり、
前記記録特性に関する指標値について予め定められた条件が、ＤＣジッタについて予め定められた閾値以下であるという条件と、ＤＣジッタが予め定められた第２の閾値以下となる範囲においてメインパワーの幅が所定値以上であるという条件とのいずれかである
光ディスク。
【発明の詳細な説明】
【技術分野】
【０００１】
本発明は、有機色素を用いた光ディスクに対するデータ記録を適切に行うための技術に関する。
【背景技術】
【０００２】
無機材料を用いた光ディスク（例えばＢｌｕ−ｒａｙ規格の記録用光ディスク）については、従来どおりのストラテジで記録を行うと例えば図１に示すような特性が得られる。具体的には、横軸はメインパワー（マーク形成時の記録パワー）Ｐｗを表しており、左側の縦軸はＤＣＪ（ＤＣジッタ［％］。塗りつぶされた菱形を結ぶカーブ）を表しており、右側の縦軸はアシンメトリ値（Ａｓｙｍ。白抜き矩形を結ぶカーブ。）を表している。なお、ＤＣＪは、ＲＦ信号を二値化した二値化ＲＦ信号と当該二値化ＲＦ信号から生成したクロック信号との位相差の標準偏差である。また、アシンメトリ値は、ＲＦ信号における最短記録マーク及び最短スペースと最長記録マーク及び最長スペースとの振幅の対称性を表す評価指標である。
【０００３】
図１を見れば、ＤＣＪは、メインパワーＰｗが約５．４ｍＷの際に最小となる２次関数のようなカーブとなっており、アシンメトリ値は、メインパワーＰｗが増加するにつれてほぼ線形に増加する。このような無機材料を用いた光ディスクについては、アシンメトリ値（又はβ値。アシンメトリ値とβ値のいずれかを用いるかは任意。以下同じ。）を検出して問題がある場合には、メインパワーＰｗを図１に示しているようなカーブに従って調整すれば、所望のアシンメトリ値（又はβ値）を得ることができるようになる。よって、例えばＷＯＰＣ（Walking ＯＰＣ（Optimum Power Control））などにおいて、アシンメトリ値を評価指標としてメインパワーＰｗの制御を行って、記録材料の膜厚、反射膜厚、板厚、反り等のディスク内外差による外乱や、レーザダイオードの温度変化やサーボ動作等のドライブの外乱に対処できる。
【０００４】
一方、λ＝４０５ｎｍに吸収スペクトルを有する有機色素を用いた記録用光ディスクについては、従来どおりのストラテジ等で記録を行うと例えば図２に示すような特性が得られる。横軸及び縦軸については、図１と同様である。ＤＣＪは、値は異なるが無機材料の場合と同様に有機色素の場合にもほぼ２次関数のようなカーブとなっているが、アシンメトリ値については、図１に示した無機材料の時のような線形性は見られない。すなわち、アシンメトリ値（又はβ値）では、適切なメインパワーＰｗが設定されているか否かを判断することができないことになってしまう。
【０００５】
なお、特開２０００−２００４１８号公報には、マーク長とスペース長の可能な複数の組合せに対し、それぞれについて記録パルスの位置情報を特定した記録パルス標準条件が予め記録されている書き込み可能な光ディスクから該記録パルス標準条件を読み出し、該記録パルス標準条件を修正し、最適な記録パルス条件を求める技術が開示されている。具体的には、記録パルス標準条件にある全てのマーク長とスペース長の組合せに対する位置情報を用いて、光ディスク上に第１の試し書きを行い、第１の試し書きを再生し、再生信号から第１ジッタを検出し、当該記録パルス標準条件にある全てのマーク長とスペース長の組合せに対する位置情報に一律に第１所定量の変化を加え、一律変化した位置情報を用いて、光ディスク上に第２の試し書きを行い、第２の試し書きを再生し、再生信号から第２ジッタを検出し、第１ジッタと第２ジッタを比較し、ジッタが少ない方の試し書きに用いた位置情報を選択する記録パルス条件を求める。
【０００６】
また、特開２００７−１０３００６号公報には、書き込み可能な光ディスク及び光記録再生装置の特性ばらつきの影響を低減するための技術が開示されている。具体的には、最短の記録マークに対する記録パワーパラメータを変化させて、光ディスク上に試し書きを行い、試し書きを再生し、再生信号品質の良くなる記録パワーパラメータを選択後、マーク長の短い方から、上記マーク長に対する記録パワーパラメータを変化させて、光記録媒体上に試し書きを行い、試し書きを再生し、再生信号品質の良くなる記録パワーパラメータを選択する処理を少なくとも１回行う。
【特許文献１】特開２０００−２００４１８号公報
【特許文献２】特開２００７−１０３００６号公報
【発明の開示】
【発明が解決しようとする課題】
【０００７】
上記公報はともにデータ記録に最適なストラテジを算出する技術を開示するものであり、ＤＣＪ、エラーレートを指標としている。ただし、上記公報では信号品質のみを追求しており、ライトパワーが変化したときのβ値やアシンメトリ値に関しては言及していない。すなわち、上で述べたような有機色素を用いた光ディスクに対して、アシンメトリ値又はβ値を評価して、メインパワーＰｗを調整する際の問題点については考慮されていない。
【０００８】
上で述べたように、有機色素を用いた光ディスクを採用する際には、従来どおりのストラテジ等を採用していたのでは、アシンメトリ値又はβ値といった評価指標では、上で述べたような外乱などに対処できないという問題がある。
【０００９】
さらに、アシンメトリ値やβ値の検出精度が低い場合には、アシンメトリ値やβ値とメインパワーＰｗとの関係を表す直線の傾きが大きい必要がある。また、アシンメトリ値やβ値とメインパワーＰｗとの関係を表す直線の線形性が崩れないようにしなければならない。
【００１０】
従って、本発明の目的は、有機色素を用いた光ディスクに対して記録を行う際に、アシンメトリ値やβ値とメインパワーＰｗとの関係が適切な直線で表されるようにするための技術を提供することである。
【００１１】
また、本発明の他の目的は、有機色素を用いた光ディスクに対して記録を行う際に、アシンメトリ値やβ値とメインパワーＰｗとの関係を表す直線の線形性を保持させるための技術を提供することである。
【課題を解決するための手段】
【００１２】
本発明の第１の態様に係る光ディスク記録方法は、データ記録対象の光ディスクのメディアＩＤを読み出すステップと、読み出されたメディアＩＤがλ＝４０５ｎｍに吸収スペクトルを有し且つ有機色素を用いた光ディスクであることを示している場合には、最短マークを形成するためのライトパルスのパルス長が、記録特性に関する指標値について予め定められた条件を満たす範囲で最短値になるよう設定する設定ステップとを含む。
【００１３】
本願の発明者の非自明な知見によれば、上で述べた条件を満たすように最短マークを形成するためのライトパルスのパルス長を最短に設定することによって、アシンメトリ値やβ値とメインパワーＰｗとの関係が適切な直線で表されるようになる。
【００１４】
なお、上で述べた記録特性に関する指標値について予め定められた条件は、ＤＣジッタについて予め定められた閾値以下であるという条件、ＤＣジッタが予め定められた第２の閾値以下となるライトパワーの幅が所定値以上であるという条件、アシンメトリ値について予め定められた閾値未満であるという条件、β値について予め定められた閾値未満であるという条件のいずれかである場合もある。このように一定の記録品位を保持しつつ、最短マークを形成するためのライトパルスのパルス長が最短となるようにすれば、適切なメインパワーＰｗの調整を行うことができるようになる。
【００１５】
また、上で述べた設定ステップが、バイアスパワーＰｂｗを、リードパワーＰｒより高く設定するステップを含むようにしてもよい。
【００１６】
本発明の第２の態様に係る光ディスク記録方法は、データ記録対象の光ディスクのメディアＩＤを読み出すステップと、読み出されたメディアＩＤがλ＝４０５ｎｍに吸収スペクトルを有し且つ有機色素を用いた光ディスクであることを示している場合には、最短マークを形成するためのライトパルスのパルス長を、記録特性に関する指標値が予め定められた条件を満たすライトパワーの幅である記録特性のマージンが予め定められた閾値以上最大値未満であって且つ記録特性のマージンとライトパルスのパルス長との関係を表す曲線の接線の傾きが正である範囲に入るように設定する設定ステップとを含む。
【００１７】
本願の発明者の非自明な知見によれば、このように最短マークを形成するためのライトパルスのパルス長を短く設定することによって、アシンメトリ値やβ値とメインパワーＰｗとの関係が適切な直線で表されるようになる。
【００１８】
なお、上で述べた記録特性に関する指標値が、ＤＣジッタ、アシンメトリ値又はβ値である場合もある。但し、記録特性に関する他の指標であってもよい。
【００１９】
さらに、上で述べた設定ステップが、バイアスパワーＰｂｗを、リードパワーＰｒより高く設定するステップを含むようにしてもよい。
【００２０】
本発明の第３の態様に係る光ディスク記録方法は、データ記録対象の光ディスクのメディアＩＤを読み出すステップと、読み出されたメディアＩＤがλ＝４０５ｎｍに吸収スペクトルを有し且つ有機色素を用いた光ディスクであることを示している場合には、最短マークを形成するためのライトパルスのパルス長２Ｔtopと、最短マークより長いマークを形成する際に含まれるラストパルスのパルス長Ｔlpとを、１．６＜２Ｔtop／Ｔlp＜２．４となるように設定する設定ステップとを含む。
【００２１】
本願の発明者の非自明な知見によれば、２ＴtopとＴlpとが上で述べたような関係を保持する場合には、アシンメトリ値やβ値とメインパワーＰｗとの関係が適切な直線で表されるようになる。
【００２２】
なお、上で述べた設定ステップが、バイアスパワーＰｂｗを、リードパワーＰｒより高く設定するステップを含むようにしてもよい。
【００２３】
本発明の第４の態様に係る光ディスク記録再生装置は、データ記録対象の光ディスクのメディアＩＤを読み出す手段と、読み出されたメディアＩＤがλ＝４０５ｎｍに吸収スペクトルを有し且つ有機色素を用いた光ディスクであることを示している場合には、最短マークを形成するためのライトパルスのパルス長が、記録特性に関する指標値について予め定められた条件を満たす範囲で最短値になるよう設定する制御手段とを有する。ライトパルスのパルス長のデータについては、光ディスク記録再生装置のメモリに格納されている場合もあれば、光ディスクに記録されている場合もある。
【００２４】
本発明の第５の態様に係る光ディスク記録再生装置は、データ記録対象の光ディスクのメディアＩＤを読み出す手段と、読み出されたメディアＩＤがλ＝４０５ｎｍに吸収スペクトルを有し且つ有機色素を用いた光ディスクであることを示している場合には、最短マークを形成するためのライトパルスのパルス長を、記録特性に関する指標値が予め定められた条件を満たすライトパワーの幅である記録特性のマージンが予め定められた閾値以上最大値未満であって且つ記録特性のマージンとライトパルスのパルス長との関係を表す曲線の接線の傾きが正である範囲に入るように設定する設定手段とを有する。
【００２５】
本発明の第６の態様に係る光ディスク記録再生装置は、データ記録対象の光ディスクのメディアＩＤを読み出す手段と、読み出されたメディアＩＤがλ＝４０５ｎｍに吸収スペクトルを有し且つ有機色素を用いた光ディスクであることを示している場合には、最短マークを形成するためのライトパルスのパルス長２Ｔtopと、前記最短マークより長いマークを形成する際に含まれるラストパルスのパルス長Ｔlpとを、１．６＜２Ｔtop／Ｔlp＜２．４となるように設定する制御手段とを有する。
【００２６】
本発明の第７の態様に係る光ディスクは、λ＝４０５ｎｍに吸収スペクトルを有し且つ有機色素を用いた光ディスクであって、最短マークを形成するためのライトパルスのパルス長が格納されており、当該ライトパルスのパルス長が、記録特性に関する指標値について予め定められた条件を満たす範囲で最短値である。このようにすれば、どのような光ディスク記録再生装置であっても、適切なデータ記録を実施することができるようになる。
【００２７】
本発明の第８の態様に係る光ディスクは、λ＝４０５ｎｍに吸収スペクトルを有し且つ有機色素を用いた光ディスクであって、最短マークを形成するためのライトパルスのパルス長が格納されており、上記ライトパルスのパルス長が、記録特性に関する指標値が予め定められた条件を満たすライトパワーの幅である記録特性のマージンが予め定められた閾値以上最大値未満であって且つ記録特性のマージンとライトパルスのパルス長との関係を表す曲線の接線の傾きが正である範囲に入るものである。
【００２８】
本発明の第９の態様に係る光ディスクは、λ＝４０５ｎｍに吸収スペクトルを有し且つ有機色素を用いた光ディスクであって、最短マークを形成するためのライトパルスのパルス長２Ｔtopと、最短マークより長いマークを形成する際に含まれるラストパルスのパルス長Ｔlpとが格納されており、２Ｔtop及びＴlpが、１．６＜２Ｔtop／Ｔlp＜２．４を満たすものである。
【００２９】
本発明の光ディスク記録方法をプロセッサに実行させるためのプログラムを作成することができ、当該プログラムは、例えばフレキシブル・ディスク、ＣＤ−ＲＯＭなどの光ディスク、光磁気ディスク、半導体メモリ、ハードディスク等の記憶媒体又は記憶装置若しくはプロセッサの不揮発性メモリに格納される。また、ネットワークを介してディジタル信号にて頒布される場合もある。なお、処理途中のデータについては、プロセッサのメモリ等の記憶装置に一時保管される。
【発明の効果】
【００３０】
本発明によれば、有機色素を用いた光ディスクに対して記録を行う際に、アシンメトリ値やβ値とメインパワーＰｗとの関係を適切な直線で表すことができるようになる。
【００３１】
また、本発明の他の側面によれば、有機色素を用いた光ディスクに対して記録を行う際に、アシンメトリ値やβ値とメインパワーＰｗとの関係を表す直線の線形性を保持させることができるようになる。
【発明を実施するための最良の形態】
【００３２】
［本発明の原理］
図３にマルチパルス型の記録パルス（Write Pulse）の波形を模式的に示す。図３（ｃ）において、スペース形成時には、スペース形成に必要な記録パワーであるスペース形成パワーＰｓが用いられ、マーク形成時には、メインパワーＰｗが用いられ、３Ｔ以上のマークでトップパルス以降の各パルスの間にはバイアスパワーＰｂｗが用いられ、マークの最後のパルスの後の下向きのパルスであるクーリングパルスにはクーリングパルスパワーＰｃが用いられる。なお、図３（ａ）は、記録データ（２Ｔマーク（Ｐ２Ｔ）及び８Ｔマーク（Ｐ８Ｔ））を表し、図３（ｂ）は、サンプリング信号波形を表す。本願発明者は、有機色素を用いた光ディスクであっても、バイアスパワーＰｂｗを図３に示すように従来より上昇させることによって、図４に示すようにアシンメトリ値とメインパワーＰｗとが線形性を有するようになることを非自明に見出した。特に、Ｐｂｗを、再生時のリードパワーＰｒより高くすることが好ましい。なお、２Ｔのパルス長を２Ｔtopと表し、例えばｎ（ｎは３以上の整数）Ｔの場合の最初のパルスのパルス長をｎＴtopと表す（図３では８Ｔマークであるから、８Ｔtopと表す）。また、３Ｔ以上のマークで生ずる中間パルスのパルス長をＴmpと表し、クーリングパルスのパルス長をＴclと表す。
【００３３】
図４において、横軸はメインパワーＰｗを表し、左側の縦軸はＤＣＪ［％］を表し、右側の縦軸はアシンメトリ値を表す。改善前（バイアスパワーＰｂｗを従来のまま）の場合と改善後（バイアスパワーＰｂｗ＞Ｐｒになるように上昇させる）の場合とでＤＣＪに大きな変化はなく、記録品位の劣化はほとんど見られないが、改善後であれば、メインパワーＰｗが上昇すると、アシンメトリ値が減少するという関係が表れるようになる。なお、無機材料の場合にはHigh-to-lowの極性であるから図１に示したような右上がりの直線が引けるのに対し、有機色素を用いた光ディスクの場合にはLow-to-highの極性となるので、右下がりの直線が引けるようになる。
【００３４】
より詳細なデータを図５に示す。ここでは、Ｐｂｗ＝Ｐｗ×εbwというように設定される場合におけるεbw＝０．２５４、εbw＝０．３３９、εbw＝０．４２４、εbw＝０．５０８の各場合における、β値とメインパワーＰｗの関係を表す。なお、β値は、ＲＦ信号をＡＣカップリングし、すなわちＲＦ信号の直流成分を除去してＧＮＤレベルを基準としたときに、最長記録マークＭ８Ｔの振幅とＧＮＤレベルとの差をａとし、最長スペースＳ８Ｔの振幅とＧＮＤレベルとの差をｂとすると、β＝（ａ−ｂ）／（ａ＋ｂ）と表される。図５から分かるように、いずれも場合も、β値とメインパワーＰｗとの関係は、ほぼ一次関数で近似できる。
【００３５】
さらに詳細なデータを図６に示す。図６において、横軸はεbw又はＰｂｗを表し、左の縦軸は棒グラフの目盛りを表しており且つ図５における各直線の傾きの絶対値を表しており、右の縦軸は折れ線グラフの目盛りを表しており且つ図５における各直線近似の精度σを表している。図６から分かるように、εbwを上昇させると直線の傾きが大きくなることが分かる。さらに、Ｐｂｗ＝３．０に固定した場合にはより大きな傾きを得ることができるようになる。傾きが大きいほど、β値の検出精度が低くても、記録パワーを適切な値に制御しやすくなるため、可能であればＰｂｗをＰｂｗ＝Ｐｗ×εbwではなく、固定値にする方が好ましい。特にＰｂｗ＝３．０固定の場合には直線近似の精度σも大きな値となるため、より好ましい。但し、光ディスク記録再生装置によってはこのような設定を行うことができない場合があるので、Ｐｂｗを固定することはこれ以上検討しないものとする。
【００３６】
一方、直線近似の精度σは、εbwが上昇すると悪くなることが分かる。これは、バイアスパワーＰｂｗが高くなりすぎると長いマークが強く記録されすぎて生ずる現象と考えられる。従って、このままでは直線近似の精度σのためεbwを大きくすることができず、直線の傾きを十分大きくできない。
【００３７】
ここで、本願発明者は、傾きを大きくし且つ線形性（すなわち直線近似の精度σ）を改善する手法として、最短マークである２Ｔマークのパルス長２Ｔtopを短くすることを非自明に見出した。このように、最短マークのパルス長を短く設定することで、メインパワーＰｗ変化時における最短マークに対して与えられるエネルギーの変化率は、最短マークを形成するライトパルスのパルス長が長い場合と比較して上がるため、最短マークに対応する振幅変化が起こりやすくなり、メインパワーＰｗに対するβ値やアシンメトリ値の追従性が向上するものである。
【００３８】
図７に、２Ｔtop＝１．０００Ｔ（Ｔはサンプリングクロック１周期）、２Ｔtop＝０．９３８Ｔ、２Ｔtop＝０．８７５Ｔ、２Ｔtop＝０．８１３Ｔ、２Ｔtop＝０．７５１Ｔの各ケースにおける、メインパワーＰｗとβ値との関係を示す。図８に、２Ｔtopと、β特性（図７に示したメインパワーＰｗとβ値との関係を表す直線の傾き）と、線形近似した場合のばらつき度を表すσとを具体的数値で表す。図７及び図８のデータに基づき、従来どおりである２Ｔtop＝１．０００Ｔと比較すると、２Ｔtopが短くなるほどβ特性も増加し、σも概ね好ましい数値（１．０に近い値）になっている。なお、この際、εbw（＝Ｐｂ／Ｐｂｗ）は０．４２４、εs（＝Ｐｓ／Ｐｗ）は０．２５４に設定されている。
【００３９】
但し、図９にメインパワーＰｗとＤＣＪの関係を示すが、２Ｔtopの値が小さくなるにつれてＤＣＪの値が上昇してしまっている。ＤＣＪの閾値を７％とすると、２Ｔtop＝０．７５１Ｔの場合には、最良のメインパワー条件の時に７％を下回るが、それ以外の場合には７％を上回ってしまっている。メインパワーＰｗは変動させる必要があるため、２Ｔtop＝０．７５１Ｔのような設定を行うことは記録特性の観点から好ましくない。すなわち、例えばＤＣＪについて予め定められた条件を満たす範囲において２Ｔtopを最短にすることが最も好ましい。
【００４０】
ＤＣＪではなく、図１０に示すようなＤＣＪマージン（ＤＣＪが例えば７．５％以下となるようなメインパワーＰｗの幅）について予め定められた条件を満たす範囲において２Ｔtopを設定することが好ましいとも言える。図１０では、横軸は２Ｔtop［Ｔ］を表し、縦軸はメインパワーの幅を表すＤＣＪマージン［ｍＷ］を表す。ここで２ＴtopとＤＣＪマージンとの関係をプロットすると、図１０に示すように、二次曲線のようになる。すなわち、２Ｔtopが約０．９１Ｔで極大となりそれより２Ｔtopが長くなっても短くなってもＤＣＪマージンは減少する。従来の２Ｔtopの調整ではＤＣＪマージンを最大化するのが通常であるが、本発明では上で述べたように２Ｔtopを短くする方が、ＤＣＪマージンは多少悪くなるが、β値又はアシンメトリ値とメインパワーＰｗとの関係を表す直線の傾き及び線形度合いが好ましくなる。従って、図１０における許容範囲、すなわちＤＣＪマージンが所定の閾値（図１０では０．７ｍＷ）以上最大値（極大値）未満であって、２ＴtopとＤＣＪマージンとの関係を表す曲線の傾きが正である範囲に、２Ｔtopを設定することによって、β値又はアシンメトリ値とメインパワーＰｗとの関係を表す直線の傾き及び線形度合いについて効果を得ることができる。すなわち、β値及びアシンメトリ値によって適切にメインパワーＰｗを調整することができるようになる。
【００４１】
さらに、２ＴtopとＴlpとの関係は、図１１に示すような関係にあることが分かった。２Ｔtop＝１．０００Ｔという通常の状態では、Ｔlp＝０．６２５Ｔとなっており、２Ｔtopが短くなるにつれて、Ｔlpも短くなっている。Ｂｌｕ−ｒａｙ規格では２Ｔtop長を変化させると、２Ｔのパルスの後部（終端部と呼ぶ）の長さが変化する。本発明のように２Ｔtop長を短くした場合、３Ｔ以降のマークの終端部が２Ｔと比較して長くなってしまう。その結果、ＤＣＪやエラーレート等の特性に影響し、特性悪化が生じる。そのため、２Ｔtop長を短くした場合、ＤＣＪ特性を確保するためラストパルス長Ｔlpも短くする必要がある。
【００４２】
図１１に示したような測定結果から、本発明では２Ｔtop長を短く設定する範囲として、
１．６＜２Ｔtop／Ｔlp＜２．４
がＤＣＪ特性を満足し、且つメインパワーＰｗ変化に対してβ値やアシンメトリ値が線形的に追従しやすい範囲である。
【００４３】
このように、２ＴtopとＴlpで範囲設定しているが、その他パルス（Ｔmp、３Ｔtopや４Ｔtop）で規定するようにしてもよい。
【００４４】
また、アシンメトリ値やβ値を記録特性に関する指標値として用いられる場合もある。
【００４５】
［実施の形態］
本発明の実施の形態におけるドライブ・システムの機能ブロック図を図１２を用いて説明する。本発明の実施の形態に係るドライブ・システムは、光ディスク記録再生装置１００と、テレビ受像器などの表示部とリモートコントローラなどの操作部とを含む入出力システム（図示せず）とを含む。
【００４６】
光ディスク記録再生装置１００は、処理途中のデータ、処理結果のデータ、処理における参照データなどを格納するメモリ１２７と、以下で説明する処理を行わせるためのプログラムが記録されるメモリ回路１２６を含むＣＰＵ（中央演算装置：Central Processing Unit）などから構成される制御回路１２５と、入出力システムとのインターフェースであるインターフェース部（Ｉ／Ｆ）１２８と、再生信号であるＲＦ信号の最大振幅レベル又は最小振幅レベル等を検出する特性値検出部１２４と、再生信号であるＲＦ信号から２Ｔ乃至８Ｔ符号（例えばＢｌｕ-ｒａｙ規格の場合。Ｂｌｕ-ｒａｙ規格の場合同期符号の９Ｔも識別する。また、ＨＤ−ＤＶＤ規格の場合、２Ｔ乃至１１Ｔ符号と同期符号の１３Ｔを識別する。）のいずれが読み出されたかを復号するための処理などを行う等化器１３１及びデータ復調回路１２３と、ピックアップ部１１０と、制御回路１２５から出力される記録すべきデータに対して所定の変調を行い、レーザ・ダイオード（ＬＤ）ドライバ１２１に出力するデータ変調回路１２９と、ＬＤドライバ１２１と、光ディスク１５０の回転制御部及びモータ並びにピックアップ部１１０用のサーボ制御回路１３２等を含む。
【００４７】
また、ピックアップ部１１０は、対物レンズ１１４と、ビームスプリッタ１１６と、検出レンズ１１５と、コリメートレンズ１１３と、ＬＤ１１１と、フォトディテクタ（ＰＤ）１１２とを含む。ピックアップ部１１０では、図示しないサーボ制御部の制御に応じて図示しないアクチュエータが動作し、フォーカス及びトラッキングが行われる。
【００４８】
制御回路１２５は、メモリ１２７、特性値検出部１２４、Ｉ／Ｆ１２８、ＬＤドライバ１２１、データ変調回路１２９、サーボ制御回路１３２、図示しない回転制御部などに接続されている。また、特性値検出部１２４は、ＰＤ１１２、制御回路１２５などに接続されている。ＬＤドライバ１２１は、データ変調回路１２９、制御回路１２５及びＬＤ１１１に接続されている。制御回路１２５は、Ｉ／Ｆ１２８を介して入出力システムにも接続されている。
【００４９】
次に、光ディスク１５０に対してデータを記録する場合における処理の概要を説明する。まず、制御回路１２５は、データ変調回路１２９に、光ディスク１５０に記録すべきデータに対して所定の変調処理を実施させ、データ変調回路１２９は変調処理後のデータをＬＤドライバ１２１に出力する。ＬＤドライバ１２１は、指定の記録条件（ストラテジ及びパラメータ）に従って、受信したデータでＬＤ１１１を駆動してレーザ光を出力させる。レーザ光は、コリメートレンズ１１３、ビームスプリッタ１１６、対物レンズ１１４を介してディスク１５０に照射され、光ディスク１５０にマークとスペースを形成する。
【００５０】
また、光ディスク１５０に記録されたデータを再生する場合における処理の概要を説明する。制御回路１２５からの指示に従ってＬＤドライバ１２１は、ＬＤ１１１を駆動してレーザ光を出力させる。レーザ光は、コリメートレンズ１１３、ビームスプリッタ１１６、対物レンズ１１４を介して光ディスク１５０に照射される。光ディスク１５０からの反射光は、対物レンズ１１４、ビームスプリッタ１１６、検出レンズ１１５を介してＰＤ１１２に入力される。ＰＤ１１２は、光ディスク１５０からの反射光を電気信号に変換し、特性値検出部１２４等に出力する。等化器１３１及びデータ復調回路１２３等は、出力された再生信号に対して所定の復号処理を行い、復号されたデータを制御回路１２５及びＩ／Ｆ１２８を介して、入出力システムの表示部に出力して、再生データを表示させる。特性値検出部１２４は、通常の再生では用いられない。
【００５１】
次に、光ディスク記録再生装置１００の動作について図１３を用いて説明する。まず、制御回路１２５は、光ディスク１５０に記録されているメディアＩＤをＰＤ１１２、等化器１３１及びデータ復調回路１２３を介して再生することによって読み出す（ステップＳ１）。そして、制御回路１２５は、読み出されたメディアＩＤに対応する各種ストラテジデータ等を、メモリ１２７等から読み出し、ＬＤドライバ１２１に設定する（ステップＳ３）。メモリ１２７ではなく、光ディスク１５０に記録されている場合には、各種ストラテジデータを光ディスク１５０から読み出す。有機色素を用いた光ディスクについてのメディアＩＤが読み出された場合には、本ステップでは、本発明の原理に従った２ＴtopやＴlpの設定データがメモリ１２７等から読み出され、ＬＤドライバ１２１に設定される。
【００５２】
そして、メインパワーＰｗを最適化する周知の処理を実施する（ステップＳ５）。なお、この際特性値検出部１２４は、アシンメトリ値又はβ値を算出するための特性値を検出し、制御回路１２５に出力する。制御回路１２５では、アシンメトリ値又はβ値を算出して、最適なメインパワーＰｗを算出する。
【００５３】
その後、制御回路１２５は、ステップＳ５で算出された最適なメインパワーＰｗをＬＤドライバ１２１に設定し、データ記録を実施する（ステップＳ７）。
【００５４】
このような処理を実施することによって、発明の原理の欄で述べたような効果を得ることができ、さらにＷＯＰＣ（Walking Optimum Power Control）等においてもメインパワーＰｗの制御を適切に行うことができるようになる。
【００５５】
なお、本発明の原理の欄で述べたような条件を満たす２ＴtopやＴlpの設定データは、メモリ１２７に格納される場合もあれば、光ディスク１５０に格納される場合もある。光ディスク１５０に保持させる場合には、図１４に示すようなＬｅａｄ−ｉｎ領域の中に保持しておく。Ｌｅａｄ−ｉｎ領域は、システムＬｅａｄ−ｉｎ領域と、コネクション領域と、データＬｅａｄ−ｉｎ領域とに大きく分かれており、システムＬｅａｄ−ｉｎ領域は、イニシャル・ゾーン、バッファ・ゾーン、コントロールデータ・ゾーン、バッファ・ゾーンを含む。また、コネクション領域は、コネクション・ゾーンを含む。さらに、データＬｅａｄ−ｉｎ領域は、ガードトラック・ゾーン、ディスクテスト・ゾーン、ドライブテスト・ゾーン、ガードトラック・ゾーン、ＲＭＤデュープリケーション・ゾーン、レコーディングマネジメント・ゾーン、Ｒ−フィジカルフォーマットインフォメーション・ゾーン、リファレンスコード・ゾーンを含む。本実施の形態では、システムＬｅａｄ−ｉｎ領域のコントロールデータ・ゾーンに、レコーディングコンディションデータ・ゾーン１７０を含むようにする。例えば、レコーディングコンディションデータ・ゾーン１７０に、本発明の原理の欄で述べたような条件を満たす２ＴtopやＴlpなどを保持しておく。
【００５６】
以上本発明の実施の形態を説明したが、本発明はこれに限定されるものではない。例えば、図１３の機能ブロック図は、実施の形態を説明するために示したもので、必ずしも実際の回路やモジュール構成と一致しない場合もある。また、処理フローについても処理結果が同じであれば処理順番を入れ替えたり、並列に実行するようにしても良い。
【図面の簡単な説明】
【００５７】
【図１】無機材料を用いた光ディスクのメインパワーＰｗとＤＣＪ及びアシンメトリ値との関係を表す図である。
【図２】従来のストラテジデータ等を用いて測定した場合における、有機色素を用いた光ディスクのメインパワーＰｗとＤＣＪ及びアシンメトリ値との関係を表す図である。
【図３】記録パワー等の波形を説明するための図である。
【図４】バイアスパワーＰｂｗを上昇させた場合におけるメインパワーＰｗとアシンメトリ値との関係を表すカーブの改善度合いを示す図である。
【図５】バイアスパワーＰｂｗを変化させた場合におけるメインパワーＰｗとβ値との関係を説明するための図である。
【図６】メインパワーＰｗとβ値との関係を表す直線の傾き及び直線近似の精度について、εbwを変更した場合及びバイアスパワーＰｂｗを固定した場合を比較するための図である。
【図７】２Ｔtopを変更した場合のメインパワーＰｗとβ値の関係を表す図である。
【図８】図７の具体的数値を表す図である。
【図９】図７の場合におけるＤＣＪを表す図である。
【図１０】２ＴtopとＤＣＪマージンの関係を表す図である。
【図１１】２ＴtopとＴlpの関係を表す図である。
【図１２】本発明の実施の形態における機能ブロック図である。
【図１３】本発明の実施の形態における処理フローを示す図である。
【図１４】光ディスクに格納されるデータ構造を示す図である。
【符号の説明】
【００５８】
１００  光ディスク記録再生装置
１１０  ピックアップ部    １１１  ＬＤ  
１１２  ＰＤ    １１３  コリメートレンズ
１１４  対物レンズ    １１５  検出レンズ
１１６  ビームスプリッタ    １２１  ＬＤドライバ
１２３  データ復調回路    １２４  特性値検出部
１２５  制御回路    １２６  メモリ回路
１２７  メモリ    １２８  Ｉ／Ｆ    １２９  データ変調回路
１３１  等化器    １３２  サーボ制御回路
１５０  光ディスク
【図１】
0004719724.tif 000002
【図２】
0004719724.tif 000003
【図３】
0004719724.tif 000004
【図４】
0004719724.tif 000005
【図５】
0004719724.tif 000006
【図６】
0004719724.tif 000007
【図７】
0004719724.tif 000008
【図８】
0004719724.tif 000009
【図９】
0004719724.tif 000010
【図１０】
0004719724.tif 000011
【図１１】
0004719724.tif 000012
【図１２】
0004719724.tif 000013
【図１３】
0004719724.tif 000014
【図１４】
0004719724.tif 000015